(57)【要約】      （修正有）【課題】背板の前面に表皮材をきっちりと張ることを、ビスを使用せずに簡単に実現する。【解決手段】背もたれはバックフレームと背板とを有しており、背板の前面にはメッシュ状表皮材７が張られている。バックフレームはサイドフレームを有しており、サイドフレームに背板のサイドメンバーが連結されている。メッシュ状表皮材７の上端縁にはアッパー縁部材５６が逢着等で固定されている。背板のアッパーメンバーには、アッパー縁部材５６が後ろから嵌まる横長溝４５，４６が形成されている。アッパーフレームとアッパーメンバーとは左右両端部のみで重なり合っており、左右中間部とその周辺部には上部空間１３が空いている。アッパー縁部材５６の左右端部はアッパーフレームの押さえ部３９で後退動不能に保持されているため、抜け不能に保持されている。【選択図】図１２
2011092539.tif 000002
【特許請求の範囲】
【請求項１】
背もたれの外周部を構成して強度メンバーとして機能するバックフレームと、前記バックフレームの前面に重ね配置した体圧支持体とを備えており、前記体圧支持体の少なくとも前面には可撓性を有する表皮材が張られている背もたれであって、
前記表皮材の周縁の一部又は全部に縁部材を固定している一方、前記体圧支持体の周縁部には前記縁部材が後ろから嵌合する受け部を設けており、前記縁部材の全部又は一部が受け部から抜けて後退することを前記バックフレームで阻止している、
椅子の背もたれ。
【請求項２】
前記バックフレームは左右のサイドフレームとその上端に繋がったアッパーフレームとを有しており、前記バックフレームのアッパーフレームと体圧支持体の上端部とは、その左右両側部は互いに重なった重合部になっていて左右重合部の間の部分は上部空間が空く非重合部になっており、
前記体圧支持体の上端部には、左右長手のアッパー縁部材が、その両端が前記アッパーフレームと体圧支持体との重合部ま延びるようにして配置されており、前記アッパー縁部材の左右両端部が前記アッパーフレームで後退動不能に保持されている、
請求項１に記載した椅子の背もたれ。
【請求項３】
前記アッパー縁部材はシート状の形態を成している一方、前記体圧支持体の上端部には、前記アッパー縁部材が後ろから嵌まる横長溝を形成している、
請求項１又は２に記載した椅子の背もたれ。
【発明の詳細な説明】
【技術分野】
【０００１】
本願発明は、椅子の背もたれに関する。
【背景技術】
【０００２】
椅子の背もたれは、背板の前面にクッション材を配置してこれをクロス等の表皮材で覆った構成になっていることが多い。表皮材はクッション材のみを覆う構造であることが多いが、表皮材を袋状に構成してこの袋状表皮材でクッション材と背板とをすっぽり覆う構成とすることも行われている。
【０００３】
表皮材はクロスやメッシュ材のような可撓性を有する素材からなっており、これをピンと張った状態に保持せねばならない。そこで、表皮材の縁を処理する必要がある。この点について特許文献１には、例えば表皮材（カバー部材）の上端部の処理手段として、背板の上端部背面に左右横長の補強プレートを配置し、この補強プレートに表皮材の上端縁を逢着することが開示されている。
【先行技術文献】
【特許文献】
【０００４】
【特許文献１】特開２００８−１１９２４８号公報
【発明の概要】
【発明が解決しようとする課題】
【０００５】
特許文献１は、剛性を有する補強材に表皮材を逢着することで表皮材を張った状態に保持するものであるが、これでは、わざわざ補強プレートを用意してこれを背板に取付けなければならないため、椅子の組み立てに手間が掛かる虞がある。また、補強プレートは後ろに露出するため美感を損なう可能性もある。
【０００６】
本願発明は、このような現状を改善すべく成されたものである。
【課題を解決するための手段】
【０００７】
請求項１の発明は、背もたれの外周部を構成して強度メンバーとして機能するバックフレームと、前記バックフレームの前面に重ね配置した体圧支持体とを備えており、前記体圧支持体の少なくとも前面には可撓性を有する表皮材が張られている背もたれであって、前記表皮材の周縁の一部又は全部に縁部材を固定している一方、前記体圧支持体の周縁部には前記縁部材が後ろから嵌合する受け部を設けており、前記縁部材の全部又は一部が受け部から抜けて後退することを前記バックフレームで阻止している。
【０００８】
請求項２の発明は請求項１を好適に具体化したもので、この発明は、請求項１において、まず、前記バックフレームは左右のサイドフレームとその上端に繋がったアッパーフレームとを有しており、前記バックフレームのアッパーフレームと体圧支持体の上端部とは、その左右両側部は互いに重なった重合部になっていて左右重合部の間の部分は上部空間が空く非重合部になっている。
【０００９】
更に、前記体圧支持体の上端部には、左右長手のアッパー縁部材が、その両端が前記アッパーフレームと体圧支持体との重合部ま延びるようにして配置されており、前記アッパー縁部材の左右両端部が前記アッパーフレームで後退動不能に保持されている。
【００１０】
請求項３の発明は、請求項１又は２において、前記アッパー縁部材はシート状の形態を成している一方、前記体圧支持体の上端部には、前記アッパー縁部材が後ろから嵌まる横長溝を形成している。
【発明の効果】
【００１１】
本願発明では、表皮材の縁部は体圧支持体自体に止めるものであるため、部材点数を抑制できると共に組み立ての手間も省くことができるのであり、これにより、コストダウンに貢献し得る。そして、縁部材の抜け止めに背もたれの構成要素であるバックフレームを利用するものであるため、この面からもコストダウンと組み立て能率アップに貢献できる。
【００１２】
なお、複数の縁部材が存在する場合、本願発明では一部の縁部材だけをバックフレームで後退動しないように保持すれば足りるのであり、すべての縁部材をバックフレームで後退不能に保持することを限定しているのではない。より端的に述べると、バックフレームと体圧支持体とが重なっている部分に配置されている縁部材をバックフレームで後退動不能に保持すれば足りる。
【００１３】
さて、バックフレームを有する椅子においては、バックフレームを構成するアッパーフレームと背板の上端縁との間に上部空間を空けて、アッパーフレームを把手に使用したりハンガー掛けに利用したりすることがある。この場合は、上部空間の箇所ではアッパー縁部材を後ろからサポートすることができないが、請求項２の発明では、アッパー縁部材がアッパーフレームは体圧支持体との重合部まで延びているため、アッパー縁部材を的確に支持して後退動を阻止できる。つまり、アッパーフレームの把手機能を損なうことなく表皮材の上部をアッパー縁部材で張ることができるのである。
【００１４】
縁部材は例えば角材状や線材状やフック状など様々のものを選択できるが、請求項３のようにシート状のものを使用してこれを横長溝に嵌め込む構成を採用すると、市販品である樹脂シートや樹脂テープを縁部材の材料に使用できるためコストダウンに貢献できる。また、テープ状の縁部材は横長溝に嵌まるとしっかりと保持されて強い曲げ強度を有するため、表皮材の引っ張りによって縁部材が横長溝から抜け出るようなことはなく、信頼性も高い。
【図面の簡単な説明】
【００１５】
【図１】実施形態に係る椅子の外観図で、（Ａ）は斜視図、（Ｂ）は側面図である。
【図２】椅子を上方から見た斜視図である。
【図３】（Ａ）（Ｂ）とも分離斜視図である。
【図４】背板を裏返してバックフレームと並べた部分斜視図である。
【図５】図４の部分拡大図である。
【図６】図５の部分的な拡大図である。
【図７】図４の上部の部分拡大図である。
【図８】（Ａ）はバックフレームの部分的な拡大図、（Ｂ）は背もたれの部分的な平面図である。
【図９】背板の下側部の斜視図である。
【図１０】（Ａ）はメッシュ式表皮材の取付けを説明するための分離平面図、（Ｂ）はアッパーフレームの破断斜視図、（Ｂ）はロアフレームの破断斜視図である。
【図１１】（Ａ）は背板とメッシュ式表皮材との分離背面図、（Ｂ）は（Ａ）のＢ−Ｂ視断面図、（Ｃ）は（Ａ）のＣ−Ｃ視断面図、（Ｄ）は（Ａ）のＤ−Ｄ視断面図、（Ｅ）は（Ａ）のＥ−Ｅ視断面図である。
【図１２】（Ａ）はメッシュ式表皮材の張り状態を説明するための縦断側面図、（Ｂ）は背もたれを図８（Ａ）のXIIB-XIIB 視箇所で切断した側断面図、（Ｃ）は背もたれを図８（Ａ）の XIIC-XIIC視箇所で切断した側断面図である。
【図１３】（Ａ）は背もたれを図５の XIIIA-XIIIA視箇所で切断した平断面図、（Ｂ  ）は背もたれを図５の XIIIA-XIIIA視箇所で切断した平断面図、（Ｃ）は（Ａ）は背も  たれを図５の XIIIA-XIIIA視箇所で切断した平断面図である。
【図１４】（Ａ）は袋状表皮材でクッションを覆ったクッションユニットの概略正面図、（Ｂ）は（Ａ）のＢ−Ｂ視断面図、（Ｃ）は（Ａ）のＣ−Ｃ視断面図、（Ｄ）は（Ａ）のＤ−Ｄ視断面図である。
【図１５】クッションタイプの背もたれに関して図１２と同様の図である。
【図１６】クッションタイプの背もたれに関して図１３と同様の図である。
【発明を実施するための形態】
【００１６】
次に、本願発明の実施形態を図面に基づいて説明する。本実施形態は、事務用に多用されている回転椅子に適用している。以下の説明では方向を特定するため前後・左右の文言を使用するが、これは、椅子に普通に着座者した人を基準にして、着座者が向いた方向を前として定義している。正面視方向は着座者と相対向した方向であり、背面視方向は着座者を後ろから見た方向である。
【００１７】
(1).概略
図１，２に示すように、椅子は、脚支柱（ガスシリンダ）１のみを表示した脚装置、脚支柱１の状態に固定したベース２、ベース２の上方に配置した座３、座３の後ろに配置された背もたれ４を有している。
【００１８】
背もたれ４は、ベース２に後傾動可能に連結されたバックフレーム５と、体圧支持体の一例としてバックフレーム５の前面に取り付けた背板６（インナーシェル）とを強度メンバーとしており、図１（Ａ）に示すように、背板６の前面に薄いシート状のメッシュ状表皮材７を張っている。
【００１９】
図３に示すように、バックフレーム５は、その左右側部を構成する上下長手の左右サイドフレーム８と、左右サイドフレーム８の上端に繋がった横長のアッパーフレーム９と、左右サイドフレーム８の下端に繋がった左右長手のロアフレーム１０とを有しており、全体として略四角形で前後に開口した枠状になっている。更に、左右サイドフレーム８の下端には、ベース２の左右外面に向けて前向きに延びるサイドアーム１１が一体に形成されている。
【００２０】
バックフレーム５はポリプロピレンやナイロン樹脂のような合成樹脂を材料にした成形品を使用しているが、アルミダイキャスト品を採用することも可能である。また、例えばサイドアーム１１を別部材にするなど、複数の部材で構成することも可能である。
【００２１】
例えば図２，８に明示するように、バックフレーム５を構成するアッパーフレーム９はその左右側部だけに背板６が取り付くように平面視で大きく前向き開口した状態に形成されている。換言すると、バックフレーム５のアッパーフレーム９と背板６のアッパーメンバー１７との間に横長の上空間１３が空いている。従って、アッパーフレーム９とアッパーメンバー１７とは、上部空間１３の箇所では非重合部になっていて、上部空間１３の左右外側の部分は重合部になっている。
【００２２】
また、背板６の上部には後ろから視認できる上露出部６ａ（図２参照）が存在している。上部空間１３は人が手を差し込んでも余裕がある大きさであり、従って、人がバックフレーム５のアッパーフレーム９を掴むことができると共に、背板６の上端部が弾性変形することも可能になっている。
【００２３】
図１（Ｂ）や図２に明示するように、バックフレーム５のサイドフレーム８は、着座者の腰よりやや高い位置の部分が最も前となるように側面視で前向き突形に屈曲している。換言するとバックフレーム５のサイドフレーム８は側面視でくの字形に屈曲しており、このためサイドフレーム８は頂点部１４を有している。
【００２４】
背板６は、バックフレーム５の頂点部１４よりも下方の部位ではバックフレーム５に取り付いておらず片持ち梁の状態になっている。或いは、背板６のうちバックフレーム５の頂点部１４よりも下方の部位はオーバーハングしている。従って、図１に示すように、背板６の下部は後ろからも視認できる下露出部６ｂになっている。
【００２５】
また、図１に示すように、バックフレーム５のサイドフレーム８は、着座者が凭れ掛かっていないニュートラル状態で頂点部１４よりも上の部分は後傾姿勢になって、頂点部１４より下方の部分は前傾姿勢になっている。
【００２６】
(2).背板及びバックフレーム
次に、背板６とバックフレーム５の構造を説明する。メッシュ状表皮材７の取付け構造は、背板６及びバックフレーム５の構造を説明してから述べる。
【００２７】
背板６はポリプロピレンのような合成樹脂製を材料にした成形品であり、図３に示すように、上下長手の左右のサイドメンバー１６と、サイドメンバー１６の上端間に一体に繋がったアッパーメンバー１７と、左右サイドメンバー１６の下端に一体に繋がったロアメンバー１８とで略四角形の外形を構成し、更に、その内部には、左右サイドメンバー１６に繋がった横長サポート板１９が多段に配置されている。
【００２８】
例えば図４に示すように、バックフレーム５におけるサイドフレーム８のうち背板６が重なる支持部は前向きに開口した溝形になっている。すなわち、サイドフレーム８の支持部にはその全長にわたって延びる縦長溝２０が形成されている。アッパーフレーム９のうち背板６のアッパーメンバー１７と重なる部分も前向き開口の溝形になっている。
【００２９】
そして、図１３に示すように、サイドフレーム８とサイドメンバー１６とは前後方向から重なっている。サイドフレーム８の背部２１は平面視で外側に行くほど前に出るように緩く湾曲しており、これに内壁２２と外壁２３とを設けることで縦長溝２０を形成している。サイドフレーム８の背部２１は内壁２２よりも内側にはみ出ている。背板６のサイドメンバー１６は前向き凹状に緩く湾曲しており、これに、サイドフレーム８の内壁２２に向けて延びる内向きリブ２４を形成することにより、後ろ向きに開口した浅い溝が形成されている。
【００３０】
サイドフレーム８の内壁２２とサイドメンバー１６の内向きリブ２４とには、互いに噛み合う内側段部２５を形成している。このように内側段部２５が互いに噛み合っていることにより、背板６は内向きずれ不能に保持されている。サイドフレーム８の内壁２２と背板６の内側段部２５との間にはスリット状の隙間が空いている。
【００３１】
このため、表皮材の厚さが相違してもその厚さの違いを吸収できる。また、サイドフレーム８の内壁２２と背板６の内向きリブ２４とがこすれ合って粉が発生する可能性があるが、仮に粉が発生しても粉は上記の隙間に溜まるため外部から視認できず、このため美感低下を防止できる。
【００３２】
サイドフレーム８の内側段部２５と背板６の内向きリブ２４とは、表皮材７を介して当接するようになっている。このため背板６はサイドフレーム８に対する前後位置が正確に規定されている。
【００３３】
サイドフレーム８の外壁２３は細巾のリブ状になっていて背部２２の外端よりも内側にずれて形成されており、このため、外壁２３の外側には外側段部２６が形成されている。サイドフレーム８の外壁２３とサイドメンバー１６との間には、若干の空間が空いている。
【００３４】
例えば図４に示すように、背板６におけるサイドメンバー１６の内面には、上下長手で板状の雄形嵌合部２７が上下離れて３個形成されている。他方、サイドフレーム８の縦長溝２０には、背板６の雄形嵌合部２７を左右から挟む２枚のリブより成る雌形嵌合部２８が３対形成されている。なお、サイドメンバー１６に雌形嵌合部２８を形成して、サイドフレーム８に雄形嵌合部２７を形成してもよい。
【００３５】
これら雌雄嵌合部２７，２８が嵌まり合うことにより、背板６はバックフレーム５に対して左右ずれ不能に保持されている。このため、ロッキングに際してサイドメンバー１６がサイドフレーム８に対して内向きにずれ移動することはなく、また、サイドフレーム８とサイドメンバー１６とが一体化したような状態になって、背もたれ４の全体の剛性が高くなっている。このため、ロッキングの荷重でサイドフレーム８とサイドメンバー１６とが左右にずれて両者の間に隙間が開くような不具合は生じない。
【００３６】
図４，５に示すように、背板６におけるサイドメンバー１６の溝内には、側面視で下向き鉤形の第１係合爪３０が上下に離反して２個形成されている一方、バックフレーム５のサイドフレーム８には、第１係合爪３０と噛み合う上向き鉤形の第２係合爪３１が上下に離反して２個形成されている。これら係合爪３０，３1 は係合手段の具体例であり、これらの噛み合いにより、背板６はバックフレーム５に対して前向き移動不能に保持されている。
【００３７】
例えば図５に示すように、サイドフレーム８のうち頂点部１４の箇所には仕切り板３２が形成されており、縦長溝２０は仕切り板３２で上下に分断された状態になっている。そして、縦長溝２０のうち仕切り板３２のすぐ上の箇所の内側面に、上面３３ａが側面視で上に行くほど前に傾斜した下ガイド部３３を形成している一方、背板６におけるサイドメンバー１６には、下ガイド部３３と内壁２２との間に入り込む下部突起３４を形成し、下部突起３４に、下ガイド部３３の傾斜面に重なり合う横向きストッパー３４ａを設けている。
【００３８】
背板６を、その上部がバックフレームから大きく離れるように手前に傾けることにより、横向きストッパー３４ａを下ガイド部３３の内側に嵌め込むことができる。サイドメンバー１６には、下部突起３４に繋がった状態で上に延びる下部位置決め突起３５を設けている。下部位置決め突起３５は、サイドフレーム８における縦長溝２０の底面に近接している（当接させてもよい。）。
【００３９】
従って、下部位置決め突起３５はサイドフレーム８とサイドメンバー１６との前後位置及び左右位置を規制するストッパーの役目も果たしている。下部位置決め突起３５は縦リブと多数の横リブとが交叉した形態を成しており、下部突起３４と縦長溝２０の内側面とには空間が空いている。
【００４０】
例えば図４〜７に示すように、背板６のサイドメンバー１６には、ボス３６が上下適宜間隔で複数個後ろ向き突設されている。ボス３６は先端に行くほど外径が小さくなる台錘状に形成されている。他方、サイドフレーム８の縦長溝２０には、サイドメンバー１６のボス３６が当接する受け部３７を形成している（図１３（Ｂ）も参照）。
【００４１】
ボス３６及び受け部３７も、サイドフレーム８とサイドメンバー１６との前後位置を規制する着せ手段の役目を果たしている。図１１に示すように、ボス部３６は、背板６のサイドフレーム８とアッパーフレーム９との連接箇所にも形成している。
【００４２】
例えば図４から容易に理解できるように、縦長溝２０はアッパーフレーム９の左右側部に形成した横長溝３８に連続している。アッパーフレーム９には、上空間１３の左右端面を構成する押さえ部３９が形成されており、押さえ部３９よりも外側に横長溝３８が開口している。押さえ部３９には前向きの補助リブ４０が形成されており、更に、補助リブ４０にサイドフレーム８の内壁２２と連続する上係合片４１が形成されており、上係合片４１に上係合穴４２が空いている。
【００４３】
他方、背板６のアッパーメンバー１７には、上係合穴４２に上から嵌まり係合する上係合爪４３が形成されている。また、アッパーメンバー１７のうち上係合爪４３の内側にはサイド仕切り板４４が形成されている。サイド仕切り板４４は、アッパーフレーム９における補助リブ４０の外端部に載るように設定されている。サイド仕切り板４４には、上係合爪４３の上方に位置するストッパー片４４ａを設けている。
【００４４】
図１２（Ｃ）から理解できるように、ストッパー片４４ａはアッパーフレーム９の上面板９ａに下方から当接可能になっている。
【００４５】
図１０（Ａ）や図１２（Ａ）に示すように、アッパーメンバー１７の前面は上に行くに従って後ろにずれるように湾曲しており、このアッパーメンバー１７の背面には、３段のリブを形成することで上横溝４５と下横溝４６とが形成されている。上下の横長溝４５，４６は請求項に記載した受け部の一例である。図８に明示するように、上下の横溝４５，４６は左右サイド仕切り板４４の間に形成されている。
【００４６】
例えば図４から推測できるように、アッパーメンバー１７のサイド仕切り板４４はアッパーフレーム９における押さえ部３９の外側面の箇所に位置している。従って、図１５（Ｂ）にも示すように、アッパーメンバー１７における上下横溝４５，４６の左右端部は押さえ部３９の手前に位置している。
【００４７】
図１０（Ｃ）に示すように、背板６のロアメンバー１８は後ろ向きに開口した断面略つ字形を成しており、上部内面には段部を形成している。また、左右中間部と左右両側部とには前後に開口した下係合穴４７が形成されており、係合穴４７の箇所に下突起４８を上向き突設している。
【００４８】
図９に示すように、背板６におけるサイドメンバー１６のうち下部突起３４よりも下方の部位（すなわち、サイドメンバー１６の露出部１６ａ）にも縦長溝が形成されており、この露出部１６ａの縦長溝に内向き鉤形の鉤形ボス５０を突設している。また、露出部１６ａの縦長溝には支持リブ５１を適宜間隔で複数形成している。
【００４９】
背板６をバックフレーム５に取り付けるに当たっては、先に表皮材７を背板６に取り付けておき、それから背板６をバックフレーム５に取り付ける。背板６の取り付けは次の手順で行う。
【００５０】
すなわち、まず、図５から理解できるように、背板６を手前に倒した姿勢にして下部突起３４をサイドフレーム８の下ガイド部３３の上に嵌め込み、そのまま下にずらすことで、横向きストッパー３４ａを下ガイド部３３の傾斜面に当接させる。これにより、背板６はバックフレーム５に対して左右にずれない状態に保持される。
【００５１】
次いで、背板６を、その下端部を支点にして後ろに倒して若干持ち上げ気味にしてバックフレーム５に押圧することによって雌雄嵌合部２７，２８を嵌め合わせ、それから背板６を下向きにずらすことにより、第１係合爪３０と第２係合爪３１とを噛み合わせる。
【００５２】
第１係合爪３０と第２係合爪３１との噛み合わせは、背板６の上端を若干手前に起こした状態で行い、両係合爪３０，３１が噛み合い切るまでは、ストッパー片４４ａの先端はアッパーフレーム９の上面板９ａに前から弾性に抗して当接している。
【００５３】
そして、第１係合爪３０と第２係合爪３１とが噛み合い切ると、上係合爪４３が上係合穴４２に嵌まり込むと共に、ストッパー片４４ａがアッパーフレーム９における上面板９ａの下方に入り込み（横長溝３８に嵌まり込み）、これにより、背板６はバックフレーム５に対して上下左右及び前後にずれ不能に保持される。このように、ごく簡単な手順で背板６をバックフレーム５に取り付けることができる。
【００５４】
なお、背板６の下ガイド部３３をサイドフレーム８にセットしてから、背板６を、その下端を支点にして前に倒すことで背板６をバックフレーム５に押さえ込み、これによって係合爪３０，３１を噛み合わせることも可能である。両係合爪３０，３１の前面には互いの噛み合いを可能にする傾斜面を形成している。この方法を採用すると組み立ては一層簡単になる。
【００５５】
(3).メッシュ状表皮材７の取付け構造
次に、参考としてメッシュ状表皮材７の取付構造を説明する。メッシュ状表皮材７はその外周に固定された縁部材（テープ）によって背板６に取付けられる。
【００５６】
すなわち、図１０，１１に示すように、メッシュ状表皮材７には、サイドメンバー１６のうち露出部１６ａの上方の部位に裏から重なる第１サイド縁部材５３と、サイドメンバー１６の下露出部１６ａに裏から重なる第２サイド縁部材５４と、背板６の上部のコーナー部に裏から重なるコーナー縁部材５５と、コーナー縁部材５５の間においてアッパーメンバー１７に裏から重なるアッパー縁部材５６と、背板６のロアメンバー１８に裏から重なるロア縁部材５７とが逢着や接着によって固定されている。
【００５７】
各縁部材はポリプロピレンのような樹脂シートを使用しているが、他の素材を使用することも可能である。コーナー縁部材５５は第１サイド縁部材５３に一体に連結することも可能である。また、サイド縁部材５３，５４とコーナー縁部材５５とを一連のものを使用して、メッシュ状表皮材７に逢着してから切り込みを入れて独立化することも可能である。
【００５８】
第１サイド縁部材５３にはサイドメンバー１６のボス３６に嵌まる第１取付け穴５８が形成されており、図１３に示すように、第１サイド縁部材５３は外側からサイドメンバー１６とサイドフレーム８との間に入り込んで、ボス３６に嵌め込まれている。第１サイド縁部材５３はサイドメンバー１６に向いており、このため、外側からはメッシュ状表皮材７しか見えない。また、メッシュ状表皮材７にはアッパーフレーム９の外壁２３が当接しており、このためサイドフレーム８の内部（縦長溝２０）が見えることはない。このため美感に優れている。
【００５９】
図１０，１１に示すように、第１サイド縁部材５３には、サイドフレーム８とサイドメンバー１６との連結部の邪魔にならないように切欠き５９を形成している。
【００６０】
第２サイド縁部材５４は切欠きが存在しない帯状の形態を成しており、図９に部分的に示すように、背板６のサイドメンバー１６における露出部１６ａには、内側段部１６ｃと外側段部１６ｄとが形成されており、第２サイド縁部材５４は内側段部１６ｃと外側段部１６ｄとの間の空所に嵌め込まれおり、このためその巾方向にずれ不能に保持されている。第２サイド縁部材５４も取付け穴５８を有しており、これを鉤形ボス５０に嵌め込んでいる。
【００６１】
コーナー縁部材５５も、ボス３６に嵌まることで抜け不能に保持されている。コーナー縁部材５３は、背板６のコーナー部に合わせて斜め外向きに凸のカーブした外形を有するが、図１１においてコーナー縁部材５５は内向き凸の姿勢に表示している。裏側に折り返して背板６に取付けると外向きの凸の姿勢になる。コーナー縁部材５５の内端部は細巾になっており、図１２（Ｃ）に示すように、サイド仕切り板４４に連接したストッパー片４４ａの上側に配置されている。
【００６２】
図１２（Ａ）に示すように、アッパー縁部材５６はアッパーメンバー１７の上横溝４５に後ろから嵌入している。アッパー縁部材５６は上横溝４５の上面に重なっており、従って、アッパー縁部材５６が外に露出することはない。このため美感の問題はない。アッパー縁部材５６の左右両端はサイド仕切り板４４まで延びている。そして、図１２（Ｂ）に示すように、アッパー縁部材５６の左右端部はアッパーフレーム９に設けた押さえ部３９で後ろ向き移動不能に保持されている。このため、アッパー縁部材５６は上横溝４５に嵌め込んだだけであっても、抜け不能に保持されている。
【００６３】
図１２（Ｂ）に示すように、ロア縁部材５７はロアメンバー１８を後ろから塞ぐように配置されており、左右中間部と左右側部との３カ所に、ロアメンバー１８の下係合穴４７に嵌入するつ字形の係合爪６１を形成しており、係合爪６１を係合穴４７の下突起４８に前から引っ掛けている。これによってロア縁部材５６はロアメンバー１８に離脱不能に保持されている。
【００６４】
(4).クッション材の取付け構造
次に、クッション材及び袋体の取付け構造を説明する。背板６にはクッション材を張ることも可能である。この点を図１４〜図１６で表示している。クッション材６３は、クロス等からなる表裏シート６４，６５を有する袋体６６に収納されている。袋体６６は表皮材の一例である。背板６とクッション材６３と袋体６６とで背板ユニットが構成されている。
【００６５】
図１４から理解できるように、袋体６６は基本的には上向きに開口しており、バックフレーム５の頂点部１４よりも上の部分では左右側部も切り開かれている。従って、袋体のうちバックフレーム５の頂点部１４よりも上の部分で表裏シート６４，６５は独立部になっている。背板６の前面にクッション材６３を張って、両者を袋体６６ですっぽり覆っている。従って、裏シート６５は背板６の裏側に位置しており、背板６は裏からは視認できない（透けて見えることは有り得るが。）。
【００６６】
そして、表シート６４のサイド部と裏シート６５のサイド部とに第１サイド縁部材５３を取付け、裏シート６５のコーナー部にコーナー縁部材５５を取付け、表裏シート６４，６５のエンド部（上端縁）にアッパー縁部材５６取り付けている。上シート６５にはコーナー縁部材５５は取付けていないが、これに取り付けることも可能である。
【００６７】
図１６に示すように、表シート６４に固定した第１サイド縁部材５３はメッシュ状表皮材７の場合と同様の態様でボス３６に嵌まっている。他方、裏シート６５の第１サイド縁部材５３は内側からサイドメンバー１６に裏側に配置されてボス３６に嵌まっている。従って、裏シート６５の側部はサイドフレーム８と内壁２２とサイドメンバー１６の内リブ２４とで挟まれている。
【００６８】
図１５に示すように、表シート６４のアッパー縁部材５６はメッシュ状表皮材７の場合と同様に上横溝４５に嵌まっている一方、裏シート６５のアッパー縁部材５６は下横溝４６に後ろから嵌まっている。そして、上下のアッパー縁部材５６の左右端部は、アッパーフレーム９の押さえ部３９で後ろ向き移動不能に保持されている。コーナー縁部材５５はメッシュ状表皮材７の場合と同様にして配置されている。背板６の上露出部６ａは袋体６６ですっぽり覆われているので、この箇所には縁部材のような取付け手段は必要ない。
【００６９】
図１６に示すように、クッション材６３をサイドメンバー１６の側縁まで回り込ませると、クッション材６３の縁部がサイドフレーム８の外段部２６に入り込み得る。このためクッション材６３の縁部を美麗に処理できて美感をアップできる。
【００７０】
(5).その他
本願発明は、上記の各実施形態の他にも様々に具体化できる。例えば背板は単なる板状（シェル状）の形態であってもよい。体圧支持体は必ずしも背板ある必要はなく、例えば、前後に開口したフレーム材にメッシュ状のサポートシートを張った構造でもよい。縁部材は必ずしもテープ状には限らないので、棒材、線材、中空材、溝形材など各種のものを使用できる。受け部は横長溝のような溝でなくて例えばリブとすることも可能であり、縁部材を溝形に形成することも可能である。
【００７１】
係合手段としては係合爪と係合穴との組み合わせなど、様々の態様を選択できる。袋体を背板等の体圧支持体に保持する取付け部としては単なる鉤状やフック方式など、様々な方式を採用できる。クッション材を使用せずに、袋体のみで背板を覆う構成とすることも可能である。
【産業上の利用可能性】
【００７２】
本願発明は椅子に適用して有用性を発揮する。よって、産業上利用できる。
【符号の説明】
【００７３】
４  背もたれ
５  バックフレーム
６  背板ユニットを構成する背板
７  メッシュ式表皮材
８  サイドフレーム
９  アッパーフレーム
１６  背板のサイドメンバー
１７  背板のアッパーメンバー
３０，３１  係合手段の一例としての係合爪
３６  係止部を構成するボス
３６  
４５，４６  受け部の一例しとしての横溝
５３〜５７  縁部材
６３  クッション材
６４  表皮材としての表シート
６５  表皮材としての裏シート
６６  袋体
【図１】
2011092539.tif 000003
【図２】
2011092539.tif 000004
【図３】
2011092539.tif 000005
【図４】
2011092539.tif 000006
【図５】
2011092539.tif 000007
【図６】
2011092539.tif 000008
【図７】
2011092539.tif 000009
【図８】
2011092539.tif 000010
【図９】
2011092539.tif 000011
【図１０】
2011092539.tif 000012
【図１１】
2011092539.tif 000013
【図１２】
2011092539.tif 000014
【図１３】
2011092539.tif 000015
【図１４】
2011092539.tif 000016
【図１５】
2011092539.tif 000017
【図１６】
2011092539.tif 000018